(57)【要約】      （修正有）【課題】施術者の利便性及び施術の安定性に資するとともにコンパクトな人工毛まつげの収容容器を提供する。【解決手段】人工毛まつげを１本ずつ並べて貼り付けた台紙５０を収容し施術者が片手に保持して反対の手で掴んだ保持具で人工毛まつげを把持させるエクステンション施術のための樹脂製容器であって、台紙を上面に与える本体部材１０と、本体部材の上面を覆って開閉自在に組み合わせられ、板状の天板２２の表面の周縁部に縁部２４を与えることで天板表面を本体部材の上面と対向させた閉動時に内部空間を形成する蓋部材２０と、を含む。開動時に天板の裏面が本体部材の下面に対向配置され、縁部に指を入れて片手で本体部材及び蓋部材をまとめて保持できるように、少なくとも１ｃｍ以上の縁部の高さ及び内部空間が与えられている。【選択図】図４
0003230106.tif 000002
【実用新案登録請求の範囲】
【請求項１】
人工毛まつげを１本ずつ並べて貼り付けた台紙を収容し施術者が片手に保持して反対の手で掴んだ保持具で該人工毛まつげを把持させるエクステンション施術のための人工毛まつげを収容する樹脂製の容器であって、
略長方形で一対の上面及び下面を有する板状で、前記台紙を前記上面に与えられる樹脂製の本体部材と、
前記本体部材の前記上面を覆って開閉自在に組み合わせられ、略長方形で一対の表面及び裏面を有する板状の天板の前記表面の周縁部に縁部を与えることで前記表面を前記本体部材の前記上面と対向させた閉動時に前記天板及び前記本体部材との間に内部空間を形成する樹脂製の蓋部材と、を含み、
開動時に前記天板の前記裏面が前記本体部材の下面に対向配置され、前記縁部に指を入れて前記片手で前記本体部材及び前記蓋部材をまとめて保持できるように、少なくとも１ｃｍ以上の前記縁部の高さ及び前記内部空間を与えられていることを特徴とする人工毛まつげの収容容器。
【請求項２】
前記本体部材の下面には、周縁部の厚さを減じて中央部を突出させた台状部が形成されており、前記蓋部材の前記天板の前記裏面に設けられた凹部に嵌合固定可能であることを特徴とする請求項１記載の人工毛まつげの収容容器。
【請求項３】
前記本体部材及び前記蓋部材のそれぞれの一辺に沿った各軸に回動自在に組み合わせられる樹脂製の中間板部材を含み、前記本体部材の前記軸が前記縁部の上端部及び下端部に沿った近傍に移動可能であることを特徴とする請求項１又は２に記載の人工毛まつげの収容容器。
【請求項４】
前記蓋部材の前記軸は前記縁部の高さ方向中心線に沿って与えられるとともに、前記中間板部材の幅は前記縁部の高さの略半分であることを特徴とする請求項３記載の人工毛まつげの収容容器。
【請求項５】
蓋部材の少なくとも一部は透明であり、前記閉動時に外部から収容されている前記人工毛まつげを視認可能であることを特徴とする請求項１乃至４のうちの１つに記載の人工毛まつげの収容容器。
【考案の詳細な説明】
【技術分野】
【０００１】
本考案は、エクステンション施術に用いられる人工毛まつげを１本ずつ並べて収容する人工毛まつげの収容容器に関し、特に、施術者の施術の利便性及び安定性に資するとともにコンパクトな人工毛まつげの収容容器に関する。
【背景技術】
【０００２】
人工毛まつげをベース（基材）に沿って固定しておいて該ベースごとまぶたに貼り付ける「つけまつげ」に対し、元々生えている地まつげに１本１本人工毛まつげを足していくエクステンション施術が知られている。かかるエクステンション施術は、施術者の手作業による非常に細かい作業と手間を要するものの、地まつげを延長するものであるため、まつげの向きや生え方において、より自然な感じを与え得るとともに、地まつげの成長にも追随できて、長時間に亘って自然な感じを持続させ得る。また、皮脂や汚れを生じやすく且つ薬剤に敏感な皮膚（まぶた）に直接、人工毛まつげを貼り付けないで済むといった利点もある。
【０００３】
ここで、エクステンション施術に用いられるエクステンション用人工毛まつげは、施術者によりピンセットのような保持具で１本ずつ収容容器から取り出されて、端部近傍にグルー（接着剤）を与えられて、地まつげに接着されていく。このような施術者の作業の利便性を高めるように、エクステンション用人工毛まつげを保持具で保持しやすく工夫した収容容器が提案されている。
【０００４】
例えば、特許文献１では、従来、多数のエクステンション用まつげをバラバラに容器内に収容していたのに対し、複数本を１本ずつその側面を揃えるように横に整列させて台紙に貼付し、これを縁の付いた本体ケースと蓋体とを組み合わせた直方体の収容容器の内部に収容することを開示している（図３、４参照）。きれいに整列させたエクステンション用人工毛まつげであれば、静電気を生じて容器内で塊状になってしまうこともなく、保持具にて簡単に１本ずつ掴むことができるようになるのである。また、縁の無い板状の本体と、縁の付いた第１カバー及び第２カバーの２つのカバーでそれぞれ順番に閉じるようにした直方体の容器も開示している（図１８及び２０）。
【０００５】
また、特許文献２では、特許文献１に開示されているような台紙の例とその使用方法を開示している。台紙には、帯状の剥離紙が上下複数段に亘って分離可能に接着固定されており、各剥離紙の上にエクステンション用人工毛まつげが整列されて貼付されている。施術時には、容器内の台紙から帯状の剥離紙を保持具で一旦、剥がし取り、適宜、手の甲などに該剥離紙を貼り付け移す。ここから、保持具でエクステンション用まつげを１本ずつ掴んで、施術していくのである。
【先行技術文献】
【特許文献】
【０００６】
【特許文献１】特開２０１７−１７２０９０号公報
【特許文献２】特開２０１０−２０９５０３号公報
【考案の概要】
【考案が解決しようとする課題】
【０００７】
上記したように、複数本の人工毛まつげを台紙の上の帯状の剥離紙に並べて与えてこれを収容させた人工毛まつげの収容容器から該剥離紙を剥がし取るには、蓋体を開いた本体ケースを片手に持って、反対の手で掴んだ保持具を本体ケースの縁部に沿って内部に差し入れて、剥離紙の端部を掴む。その上で、剥離紙を台紙から分離し、収容容器本体を持っている手の甲などに該剥離紙を貼り付けて移す。このとき、手の甲を上方に向けるように返すと、開いた蓋体が本体ケースに対して動き、安定しない。また、蓋体の開いた本体ケースをテーブルなどの上に一旦置こうとすると、やはり蓋体が動いてテーブルに衝突するなどして安定せず、非効率でもある。
【０００８】
本考案は、以上のような状況に鑑みてなされたものであって、その目的とするところは、施術者の利便性及び施術の安定性に資するとともにコンパクトな人工毛まつげの収容容器を提供することにある。
【課題を解決するための手段】
【０００９】
本考案による収容容器は、人工毛まつげを１本ずつ並べて貼り付けた台紙を収容し施術者が片手に保持して反対の手で掴んだ保持具で該人工毛まつげを把持させるエクステンション施術のための人工毛まつげを収容する樹脂製の容器であって、略長方形で一対の上面及び下面を有する板状で、前記台紙を前記上面に与えられる樹脂製の本体部材と、前記本体部材の前記上面を覆って開閉自在に組み合わせられ、略長方形で一対の表面及び裏面を有する板状の天板の前記表面の周縁部に縁部を与えることで前記表面を前記本体部材の前記上面と対向させた閉動時に前記天板及び前記本体部材との間に内部空間を形成する樹脂製の蓋部材と、を含み、開動時に前記天板の前記裏面が前記本体部材の下面に対向配置され、前記縁部に指を入れて前記片手で前記本体部材及び前記蓋部材をまとめて保持できるように、少なくとも１ｃｍ以上の前記縁部の高さ及び前記内部空間を与えられていることを特徴とする。
【００１０】
かかる特徴によれば、内部空間を形成するための縁部について、人工毛まつげを貼り付けた台紙を与えた本体部材でなく蓋部材に与えているため、縁部と干渉することなく、台紙に保持具を簡単に近接させ得て、施術者の作業効率を高めることができる。また、開動時に、蓋部材を本体部材の下面側に移動させて蓋部材及び本体部材をまとめて縁部に指を入れて片手で持つことができるので、施術者の作業が安定するのである。
【００１１】
上記した考案において、前記本体部材の下面には、周縁部の厚さを減じて中央部を突出させた台状部が形成されており、前記蓋部材の前記天板の前記裏面に設けられた凹部に嵌合固定可能であることを特徴としてもよい。かかる特徴によれば、開動時に、蓋部材を本体部材の下面側に移動させて蓋部材及び本体部材を一体化できて、施術者の作業が安定するのである。
【００１２】
上記した考案において、前記本体部材及び前記蓋部材のそれぞれの一辺に沿った各軸に回動自在に組み合わせられる樹脂製の中間板部材を含み、前記本体部材の前記軸が前記縁部の上端部及び下端部に沿った近傍に移動可能であることを特徴としてもよい。また、前記蓋部材の前記軸は前記縁部の高さ方向中心線に沿って与えられるとともに、前記中間板部材の幅は前記縁部の高さの略半分であることを特徴としてもよい。かかる特徴によれば、中間板部材により開閉動作を安定させ得て、且つ、容器をコンパクトにできるのである。
【００１３】
上記した考案において、蓋部材の少なくとも一部は透明であり、前記閉動時に外部から収容されている前記人工毛まつげを視認可能であることを特徴としてもよい。かかる特徴によれば、施術者の利便性に資するのである。
【図面の簡単な説明】
【００１４】
【図１】本考案による収納容器を閉じたときの斜視図である。
【図２】本考案による収納容器をわずかに開いたときの斜視図である。
【図３】本考案による収納容器を開いたときの斜視図である。
【図４】本考案による収納容器の動作状態を示す図である。
【考案を実施するための形態】
【００１５】
以下に、本考案によるエクステンション用人工毛まつげの収容容器の１つの実施例について、図１乃至図３を用いて説明する。
【００１６】
収容容器１は、樹脂成形体からなる、本体部材１０、蓋部材２０、及び中間板部材３０を２つの回動軸ａ及びｂにて回動自在に接続してなる略直方体の箱体である。エクステンション用の人工毛まつげ５１は、台紙５０の上に１本ずつ並べて与えられて本体部材１０に貼付され、通常（閉動時、図１参照）、蓋部材２０に覆われてその内部空間に収容される。ここで、２つの回動軸ａ及びｂとともに、中間板部材３０を与えることで、本体部材１０を蓋部材２０の主面両側に回動させつつ移動し開閉自在として、人工毛まつげ５１を外部から取り出し易くするのである（開動時、図３参照）。
【００１７】
詳細には、本体部材１０は、略長方形の板状の樹脂成形体であって、その一辺である長辺に沿って、中間板部材３０と組み合わせるための切り欠き１０ａを設けられている。２つの主面のうちの上面１２には、人工毛まつげ５１を１本ずつ並べて与えられた台紙５０が貼付される。また、上面１２と対をなす下面１４には、本体部材１０の周縁部の厚さを減じて中央部を突出させた台状部１４ａを形成されており、後述するように、台状部１４ａが蓋部材２０の天板２２の背面に形成された凹部２３に嵌合し固定させることを可能としている。
【００１８】
蓋部材２０は、略直方体の箱状の一体樹脂成形体であって、その一面を開口させている。つまり、略長方形の板状の天板２２の表面２２ａには、その周縁部に沿って立ち上がった縁部２４を有し、この立ち上げ端部を開口２０ａとするのである。後述するように、縁部２４は、施術者の指を開口の内部に入れて保持しやすいように、少なくとも１ｃｍ以上の高さを有するべきだが、一方で、高さが大きすぎると、コンパクトさを損なうので、適宜、目的に応じて調整される。天板２２の長辺に沿った縁部２４では、その高さ方向中心線の両端部近傍には、この間に中間板部材３０を組み合わせるための突起２６ａ及び２６ｂが一体成形されている。また、天板２２の表面２２ａと一対をなす裏面２２ｂには、長方形に厚みを減じた凹部２３が形成されており、蓋部材２０の台状部１４ａが嵌合可能である。
【００１９】
中間板部材３０は、略長方形の板状の樹脂成形体であって、長辺端部３０ａを本体部材１０の切り欠き１０ａに沿ってその内部に位置させ、もう一方の長辺端部３０ｂを蓋部材２０の突起２６ａ及び２６ｂの間に位置させるように配置される。その上で、本体部材１０の切り欠き１０ａ及び長辺端部３０ａ近傍を貫くようにして、金属製の針金様のシャフト４１が挿入され、互いにシャフト４１に沿った回動軸aの周囲で回動自在に組み合わされている。また、蓋部材２０の突起２６ａ及び２６ｂとともに、長辺端部３０ｂ近傍を貫くようにして、金属製の針金様のシャフト４２が挿入され、互いにシャフト４２に沿った回動軸ｂの周囲で回動自在に組み合わされている。
【００２０】
次に、エクステンション用の人工毛まつげ５１の収容容器１の動作及びその使用方法について、図４に、適宜、図１乃至図３を参照しつつ説明する。
【００２１】
図４（ａ）に示すように、閉動時、本体部材１０の上面１２の周縁部に沿って、蓋部材２０の縁部２４が当接している。このとき、本体部材１０と、蓋部材２０の天板２２との間には、縁部２４がスペーサとして位置するため、内部空間が形成される。故に、本体部材１０の上面１２に与えられた台紙５０及びこの上の人工毛まつげ５１（図２参照）は、潰れることなく、その内部空間に収容されることになる。ここで、縁部２４の高さは、これによって形成される内部空間で人工毛まつげ５１を潰さないように収容させる観点から決定されるが、一方で、後述するように、施術時に施術者が指を添えるべき部分でもある。前者の観点からは、５ｍｍ以上が好ましい。
【００２２】
図４（ｂ）に示すように、施術者は、手で本体部材１０及び蓋部材２０を相対的に回動させ、わずかに開き、内部空間を露出させようとする。このとき、シャフト４１又は４２の回動軸ａ又はｂ（図２参照）によって回動する。
【００２３】
図４（ｃ）に示すように、施術者は、本体部材１０の下面１４を蓋部材２０の天板２２の裏面２２ｂに当接させるように回動させる。このとき、蓋部材２０の縁部２４の高さ方向中心線に沿って与えられたシャフト４２に対して中間板部材３０が回動する。中間板部材３０の幅が縁部２４の高さの略半分であるとき、回動先端部近傍の回動軸ａ（シャフト４１、図２参照）は、蓋部材２０の縁部２４の上端部近傍と下端部近傍との間を移動可能である。
【００２４】
つまり、回動軸ａ（シャフト４１、図２参照）が蓋部材２０の縁部２４の上端部に沿った近傍にあるとき（図１及び図４（ａ）参照）、本体部材１０は、蓋部材２０の縁部２４の先端（開口側）に対して回動する。一方、回動軸ａ（シャフト４１）が、蓋部材２０の縁部２４の下端部に沿った近傍にあるとき（図３及び図４（ｃ）参照）、本体部材１０は、蓋部材２０の裏面２２ｂに対して回動するのである。このように、回動軸に沿った特に長手の中間板部材３０を用いることで、開閉動作及び施術者の保持動作を安定させることが出来て、且つ、収容容器１をコンパクトにできるのである。
【００２５】
また、本体部材１０の下面１４を蓋部材２０の天板２２の裏面２２ｂに当接させ、対向配置させるように回動させると、本体部材１０の台状部１４ａが蓋部材２０の凹部２３に嵌合する。これにより、本体部材１０と蓋部材２０とが一体化し固定されて動かず、これを保持する施術者の作業が安定するのである。
【００２６】
この開動時において、施術者は、本体部材１０及び蓋部材２０をまとめて片手で持つことができるとともに、縁部２４に８ｍｍ以上、好ましくは１ｃｍ以上の高さを与えてあるので、これに指を入れて保持でき、施術者の作業が安定する。そして、施術者は、蓋部材２０の裏面２２ｂ側にある台紙５０から適宜、人工毛まつげ５１、もしくは、これを与えた剥離紙をピンセットのような保持具で把持する。このとき、蓋部材２０の裏面２２ｂ側には、縁部が無いので、保持具を台紙５０へ簡単に近接させ得て、作業性に優れるのである。
【００２７】
以上、本考案による実施例及びこれに基づく変形例を説明したが、本考案は必ずしもこれに限定されるものではなく、当業者であれば、本考案の主旨又は添付した実用新案登録請求の範囲を逸脱することなく、様々な代替実施例及び改変例を見出すことができるであろう。
【符号の説明】
【００２８】
１    収容容器
１０  本体部材
２０  蓋部材
２２  天板
２３  凹部
２４  縁部
３０  中間板部材
４１，４２  シャフト
５０  台紙
５１  人工毛まつげ
【図１】
0003230106.tif 000003
【図２】
0003230106.tif 000004
【図３】
0003230106.tif 000005
【図４】
0003230106.tif 000006